(57)【特許請求の範囲】
【請求項１】
筐体と、
前記筐体の内外を連通する連通孔と、
前記筐体に収容された回路基板と、
前記回路基板に設けられた貫通孔と、
前記連通孔を覆うとともに透光性を有する保護カバーと、
前記貫通孔に収容されるとともに、前記保護カバーにレンズを向けるカメラユニットと、
前記回路基板における前記連通孔とは反対側の基板裏面側において前記カメラユニットのカメラ底部を覆う第１板金部材と、
前記第１板金部材に連結され、前記貫通孔を通じて前記基板裏面とは反対側の基板表面側において前記カメラユニットのカメラ側面に沿う第２板金部材と、
前記第２板金部材に連結され、前記カメラユニットにおける前記レンズが設けられたカメラ頭部の縁部に係合する第３板金部材と、
前記カメラユニットにおける前記カメラ底部に接続された電線と、
前記基板裏面に設けられ、前記回路基板の厚み方向に沿って前記電線が接続される接続部と、
前記第１板金部材に連結され、前記接続部における前記電線の取り外し方向への移動を規制する第４板金部材と、を備える携帯端末。
【請求項２】
請求項１に記載の携帯端末において、
前記カメラユニットを収容するカメラホルダを有し、
前記第２板金部材が前記カメラホルダの側面に係合する携帯端末。
【請求項３】
請求項２に記載の携帯端末において、
前記カメラホルダは前記第４板金部材を囲む枠部を有し、
前記第４板金部材および前記枠部により前記電線に複数の曲折部が形成されている携帯端末。
【発明の詳細な説明】
【技術分野】
【０００１】
本発明は、筐体内の回路基板にカメラユニットが取り付けられる携帯端末に関するものである。
【背景技術】
【０００２】
従来より、筐体内の基板にカメラユニットが取り付けられた携帯端末が知られている（例えば、特許文献１参照）。
図５に示すように、特許文献１に記載の携帯端末は、筐体（図示省略）に内蔵される基板１０１と、カメラユニット１０２と、カメラユニット１０２を基板１０１に取り付けるカメラホルダ１０３とを有する。カメラユニット１０２はカメラホルダ１０３の内部に保持されている。
【０００３】
カメラホルダ１０３は板金または板状樹脂によって一体成型されており、弾性を有する。カメラホルダ１０３は、カメラホルダ１０３を基板１０１を貫通する位置で基板１０１に取り付ける嵌合部１０４を有する。嵌合部１０４は、カメラホルダ１０３の側面の一部を切り開いて外側へ折り曲げた切片１０４Ａと、側面の端部を切片１０４Ａと同じ側へ折り曲げた折曲部１０４Ｂとを有する。
そして、切片１０４Ａと折曲部１０４Ｂとで基板１０１を挟み込むことによって、カメラホルダ１０３は、基板１０１を貫通する位置に取り付けられる。
このようにして基板１０１に取り付けられたカメラユニット１０２は、図６に示すように、筐体１０５の内外を連通し保護カバー１０８が取り付けられた連通孔１０６に位置決めされる。
【先行技術文献】
【特許文献】
【０００４】
【特許文献１】特開２０１０−２３２９４０号公報（第３図）
【発明の概要】
【発明が解決しようとする課題】
【０００５】
図６に示すように、カメラユニット１０２を連通孔１０６に位置決めする際に、カメラユニット１０２と筐体１０５との間にクッション１０７を設けるのが一般的である。
しかしながら、カメラユニット１０２をクッション１０７に押し付けて位置決めするため、クッション１０７が取り付けられている筐体１０５の壁１０５Ａが変形しないように、壁１０５Ａに十分な厚さが必要となる。このため、筐体１０５の薄型化を妨げるという問題があった。
【０００６】
本発明は、従来の問題を解決するためになされたもので、カメラユニットを収容する筐体の薄型化を図ることができる携帯端末を提供することを目的とする。
【課題を解決するための手段】
【０００７】
本発明の携帯端末は、筐体と、前記筐体の内外を連通する連通孔と、前記筐体に収容された回路基板と、前記回路基板に設けられた貫通孔と、前記連通孔を覆うとともに透光性を有する保護カバーと、前記貫通孔に収容されるとともに、前記保護カバーにレンズを向けるカメラユニットと、前記回路基板における前記連通孔とは反対側の基板裏面側において前記カメラユニットのカメラ底部を覆う第１板金部材と、前記第１板金部材に連結され、前記貫通孔を通じて前記基板裏面とは反対側の基板表面側において前記カメラユニットのカメラ側面に沿う第２板金部材と、前記第２板金部材に連結され、前記カメラユニットにおける前記レンズが設けられたカメラ頭部の縁部に係合する第３板金部材と、前記カメラユニットにおける前記カメラ底部に接続された電線と、前記基板裏面に設けられ、前記回路基板の厚み方向に沿って前記電線が接続される接続部と、前記第１板金部材に連結され、前記接続部における前記電線の取り外し方向への移動を規制する第４板金部材と、を備えるものである。
【０００９】
また、本発明の携帯端末は、前記カメラユニットを収容するカメラホルダを有し、前記第２板金部材が前記カメラホルダの側面に係合するものである。
【００１０】
さらに、本発明の携帯端末では、前記カメラホルダは前記第４板金部材を囲む枠部を有し、前記第４板金部材および前記枠部により前記電線に複数の曲折部が形成されているものである。
【発明の効果】
【００１１】
本発明では、カメラ頭部に係合する第３板金部材は、第２板金部材を介して第１板金部材と連結されるので、カメラ頭部は保護カバーに押し付けられない。このため、保護カバーが取り付けられている連通孔側の筐体は、カメラユニットによって押圧されないので、筐体の肉厚寸法を小さくでき、筐体の小型化、薄型化が図れるという効果を有する携帯端末を提供できる。
【図面の簡単な説明】
【００１２】
【図１】（Ａ）は本発明に係る実施形態の携帯端末を上面側から見た斜視図であり、（Ｂ）は下面側から見た斜視図
【図２】携帯端末の下面を上にして見た分解斜視図
【図３】カメラユニットの分解斜視図
【図４】図１（Ｂ）中ＩＶ−ＩＶ位置の断面図
【図５】（Ａ）従来のカメラホルダの斜視図であり、（Ｂ）はカメラを収容したカメラホルダの斜視図であり、（Ｃ）は別の角度から見た斜視図
【図６】従来のカメラユニットにおける問題点を示す断面図
【発明を実施するための形態】
【００１３】
以下、本発明に係る実施形態の携帯端末について、図面を用いて説明する。
図１（Ａ）および（Ｂ）に示すように、本発明に係る実施形態の携帯端末１０は、ストレート型携帯電話に適用した例で、矩形箱状の筐体２０を有する。
なお、以下の説明において、使用状態において、表示部に表示される画面の上方となる側を上側と云い、使用状態において下方となる側を下側と云うこととする。
【００１４】
図２に示すように、筐体２０は、上方に開口した箱状のケース２１と、ケース２１の開口を覆うカバー２２とを有する。
カバー２２は、強度確保のための板金部材（図示省略）がインサート成形されており、表面は樹脂で覆われている。カバー２２は、例えば、上面２２２に、表示部および操作部を兼ね備えたタッチパネル２２１を有する。
【００１５】
ケース２１は樹脂により成形されている。ケース２１は、矩形板状の底板２３と、底板２３の外周に沿って全周に設けられている縦壁２４を有する。また、底板２３における前部下面にはリング状のフレーム２３１が設けられており、フレーム２３１の中心には筐体２０の内外を連通する連通孔２３３が設けられている。連通孔２３３には、カメラユニット４０のレンズ４６と対向する透光性の保護カバー２３２が設けられている。
ケース２１前面の縦壁２４である前縦壁２４１には、外部機器との接続部２６が設けられており、側面である側縦壁２４２には、複数個のサイドキーを有するサイドキー部６０が設けられている。
【００１６】
図１および図２に示すように、ケース２１は、ケース本体２１１と電池蓋５０を有する。ケース本体２１１は、底板２３に電池パック（図示省略）用の開口２３４（以後、「電池パック用開口２３４」という。）を有し、電池蓋５０は、電池パック用開口２３４を着脱可能に覆う。
カバー２２は、後部（図２中右側部）に、電池パック（図示省略）を収容可能な電池収容部２２４を有する。従って、電池収容部２２４の下側（図２において上側）にはケース２１の電池パック用開口２３４が位置し、電池蓋５０により覆われる。
【００１７】
カバー２２には、電池収容部２２４の前側に隣接して、回路基板としての第１回路基板２７が取り付けられる。また、カバー２２には、第１回路基板２７とは反対側で電池収容部２２４の後側（図２において右側）に隣接して、第２回路基板２８が取り付けられる。
なお、第１回路基板２７と第２回路基板２８との間には、電線（図示省略）が配線されている。
第１回路基板２７の中央部においてケース本体２１１の連通孔２３３に対応する位置には、貫通孔２７１が設けられており、カメラユニット４０が取り付けられる。また、第１回路基板２７の上面である基板裏面２７２には、接続部としての回路側コネクタ２７４が取り付けられている。
【００１８】
図３および図４に示すように、カメラユニット４０は全体矩形箱状のカメラ本体４１を有しており、カメラ本体４１のカメラ頭部である下面４１１（図３において上側面）の中央には、レンズ４６が下方（図３において上方）に向けて露出している。
カメラ本体４１のカメラ底部４１２には電線としてのフレキシブル基板４７が接続されており、一方向（図３において左方向）へ延設されている。フレキシブル基板４７は、カメラ本体４１のカメラ底部４１２から延びて（延設部４７１）、一旦下方（図４において上方）へ迂回し（迂回部４７２）、その後上方へ屈曲した後に、下方へ屈曲して（屈曲部４７３）カメラ本体４１側へ折り返されている（折返部４７４）。そして、折返部４７４の下面には、カメラ側コネクタ４１３が取り付けられている。
【００１９】
カメラユニット４０の上側（図３において下側）には、第１回路基板２７において連通孔２３３とは反対側の基板裏面２７２側において、カメラユニット４０のカメラ底部４１２を覆う矩形板状の第１板金部材４２が設けられている。
第１板金部材４２の上面にはクッション４２１が設けられており、カメラユニット４０のカメラ底部４１２に接続されているフレキシブル基板４７を押圧して、フレキシブル基板４７の脱落を防止している。
また、第１板金部材４２における一端部には、カメラ本体４１を係止する係止爪４２２が設けられている。
【００２０】
第１板金部材４２の側面から下方（図３において上方）にむけて、一対の第２板金部材４３が設けられている。第２板金部材４３は、カメラ側面４１４に沿って第１回路基板２７の貫通孔２７１を貫通し、基板裏面２７２とは反対側の基板表面２７３側に突出する。
各第２板金部材４３の下端部（図３において上端部）には、第２板金部材４３の幅方向両外側に突出する係止片４３１が設けられており、両係止片４３１の間には、部分球状の係止凸部４３２が外側に突出して設けられている。
また、第２板金部材４３の下端部は、内側に屈曲されて係止部４３３が形成されている。
【００２１】
第１板金部材４２において係止爪４２２の反対側端部には、下方へ突出する第４板金部材４５が設けられている。
第４板金部材４５は、フレキシブル基板４７の迂回部４７２の上面に当接して、これを支持する。
【００２２】
カメラユニット４０は、カメラホルダ４８に収容される。カメラホルダ４８は、カメラ本体４１を収容するカメラホルダ本体４８１と、カメラホルダ本体４８１の上端部から延び、第４板金部材４５を囲む枠部４８２を有する。
カメラホルダ本体４８１は、矩形筒状を呈しており、両側面には上下方向に延びる溝部４８３を有する。溝部４８３の下端部付近には、溝部４８３と直交する段差部４８４が設けられている。また、カメラホルダ本体４８１における溝部４８３の延長部分には、第２板金部材４３の係止部４３３を係止する係止凹部４８５が設けられている。
また、カメラホルダ本体４８１の前後端面（図３において左右端面）には、一対の係止突起４８６が設けられており、一対の係止突起４８６の間には、係止凹部４８８が設けられている。
【００２３】
枠部４８２は矩形枠状を呈しており、内部に開口部４８７を有する。この開口部４８７に、第４板金部材４５を収容する。
従って、カメラ本体４１にカメラホルダ４８を取り付けた後に、カメラ本体４１のカメラ底部４１２に接続されているフレキシブル基板４７を、上方から枠部４８２に引き回して支持する。
これにより、第４板金部材４５および枠部４８２により、フレキシブル基板４７に複数の曲折部を形成することができる。
【００２４】
カメラ本体４１を収容したカメラホルダ４８には、下方（図３において上方）から第３板金部材４４が取り付けられる。第３板金部材４４は、断面Ｌ字形状の矩形枠状を呈しており、四隅には、カメラホルダ４８の四隅が嵌まる嵌合切欠部４４１と、カメラホルダ４８およびカメラ本体４１の下面４１１の縁部に係合して支持する支持部４４２を有する。
第３板金部材４４の前後両端面には、切り起しにより弾性片４４３が内側に突出して設けられている。この弾性片４４３は、外側へ弾性変形可能となっている。また、第３板金部材４４の両側面には、第２板金部材４３の係止凸部４３２が嵌合する嵌合孔４４４が設けられている。
なお、第３板金部材４４には、四隅に取付ブラケット４４５が設けられている。
【００２５】
次に、カメラユニット４０の組立手順および第１回路基板２７への取付手順について説明する。
まず、カメラ本体４１をカメラホルダ４８に収容する。このとき、カメラ本体４１のカメラ底部４１２に接続されているフレキシブル基板４７を、カメラホルダ４８の枠部４８２の上方（図３において下方）から下方へ引き回して支持する。
次いで、カメラ本体４１を収容したカメラホルダ４８に、第１板金部材４２を取り付ける。このとき、第２板金部材４３は、カメラホルダ４８の側面の溝部４８３に沿ってスライドし、第２板金部材４３の係止片４３１がカメラホルダ４８の段差部４８４に係止されるとともに、係止部４３３が係止凹部４８５に係止される。
そして、第４板金部材４５が、フレキシブル基板４７の迂回部４７２に、上方から当接して支持する。
【００２６】
まず、第４板金部材４５およびカメラホルダ４８の枠部４８２により支持されているフレキシブル基板４７のカメラ側コネクタ４１３を、第１回路基板２７の基板裏面２７２に取り付けられている回路側コネクタ２７４に接続する。回路側コネクタ２７４に対するカメラ側コネクタ４１３の着脱方向は、第１回路基板２７に直交する方向となっており、第４板金部材４５はカメラ側コネクタ４１３の上側に位置する。
従って、第４板金部材４５は、カメラ側コネクタ４１３の回路側コネクタ２７４からの取り外し方向（上方）への移動を規制する。
【００２７】
次いで、カメラユニット４０の下面４１１側を、第１回路基板２７の基板裏面２７２側から貫通孔２７１に挿入する。これにより、カメラホルダ４８の係止突起４８６が、第１回路基板２７側に固定される。
最後に、第３板金部材４４をカメラホルダ４８の下方から被せて取り付ける。第３板金部材４４をカメラホルダ４８に被せると、第２板金部材４３の係止凸部４３２が、第３板金部材４４の嵌合孔４４４に嵌合する。同時に、第３板金部材４４の弾性片４４３が、カメラホルダ４８の係止凹部４８８を係止する。
これにより、カメラ本体４１を収容したカメラホルダ４８に、第１板金部材４２、第２板金部材４３、第３板金部材４４および第４板金部材４５を取り付けて一体化することになる。
【００２８】
このようにして一体化されたカメラユニット４０は、第１回路基板２７の貫通孔２７１に取り付けられる。
これにより、第３板金部材４４の取付ブラケット４４５がケース２１に保持され、カメラユニット４０が第１回路基板２７に取り付けられ、カメラユニット４０のレンズ４６が保護カバー１０８に対向する。
【００２９】
以上、説明した本発明に係る実施形態の携帯端末１０によれば、カメラユニット４０は、筐体２０内に収容される第１回路基板２７の貫通孔２７１に取り付けられる。そして、レンズ４６を、筐体２０の内外を連通する連通孔２３３を覆う透光性を有する保護カバー２３２に向ける。
このとき、カメラユニット４０のレンズ４６と反対側のカメラ底部４１２は、第１板金部材４２により支持される。第１板金部材４２には、貫通孔２７１を通じて基板裏面２７２とは反対側の基板表面２７３側においてカメラユニット４０のカメラ側面に沿う第２板金部材４３が連結されている。また、第２板金部材４３には、カメラユニット４０におけるレンズ４６が設けられた下面４１１の縁部に接する第３板金部材４４が連結されている。
【００３０】
従って、下面４１１に接する第３板金部材４４は、取付ブラケット４４５により、ケース２１に保持されるので、下面４１１は保護カバー２３２に押し付けられない。このため、保護カバー２３２が取り付けられている連通孔２３３側の筐体２０は、カメラユニット４０によって押圧されないので、カメラユニット４０の下面４１１は、連通孔２３３と同一高さに配置できる。これにより筐体２０にカメラユニット４０を接近させることが可能になり、携帯端末の小型化、薄型化が図れる。
【００３１】
また、カメラ底部４１２に接続されたフレキシブル基板４７のカメラ側コネクタ４１３の、回路側コネクタ２７４からの取り外し方向への移動を規制する第４板金部材４５を設けたので、フレキシブル基板４７が第１回路基板２７から外れるのを防止できる。
【００３２】
また、カメラユニット４０を収容するカメラホルダ４８の溝部４８３に第２板金部材４３が係合するので、カメラユニット４０はカメラホルダ４８を介して第２板金部材４３により保持される。
【００３３】
さらに、カメラホルダ４８に、第４板金部材４５を囲む枠部４８２を設け、この枠部４８２にフレキシブル基板４７を架けて屈曲させる。このため、フレキシブル基板４７を支持することができ、フレキシブル基板４７と第１回路基板２７との接続部である回路側コネクタ２７４や、カメラ底部４１２におけるフレキシブル基板４７の取付部に力が作用するのを防止できる。
【００３４】
なお、本発明の携帯端末は、前述した実施形態に限定されるものでなく、適宜な変形，改良等が可能である。
【産業上の利用可能性】
【００３５】
以上のように、本発明にかかる携帯端末は、カメラ頭部に接する第３板金部材は、ケース２１に対して保持されるので、カメラ頭部は保護カバーに押し付けられない。このため、保護カバーが取り付けられている連通孔側の筐体は、カメラユニットによって押圧されないので、筐体の肉厚寸法を小さくでき、筐体の小型化、薄型化が図れるという効果を有し、筐体内の基板にカメラユニットが取り付けられる携帯端末等として有用である。
【符号の説明】
【００３６】
１０  携帯端末
２０  筐体
２１  ケース
２１１  ケース本体
２３２  保護カバー
２３３  連通孔
２３４  電池パック用開口
２７  第１回路基板（回路基板）
２７１  貫通孔
２７２  基板裏面
２７３  基板表面
２７４  回路側コネクタ（接続部）
４０  カメラユニット
４１１  下面（カメラ頭部）
４１２  カメラ底部
４１４  カメラ側面
４２  第１板金部材
４３  第２板金部材
４４  第３板金部材
４５  第４板金部材
４６  レンズ
４７  フレキシブル基板（電線）
４８  カメラホルダ
４８２  枠部
【図１】
0005366336.tif 000002
【図２】
0005366336.tif 000003
【図３】
0005366336.tif 000004
【図４】
0005366336.tif 000005
【図５】
0005366336.tif 000006
【図６】
0005366336.tif 000007